(57)【要約】      （修正有）【課題】容器とその容器の蓋であって、老人や力の弱い人、又は手に障害のある人でも容器に容器の蓋を乗せるだけで閉栓し、前記容器の蓋どの方向にでも僅か移動させるだけで開栓可能な容器とその容器の蓋を提供すること。【解決手段】容器本体５と、同容器本体の開口部を遮蔽する蓋６からなる収納容器において、前記容器本体の開口嵌合部に埋め込まれた少なくとも１個以上の第１の永久磁石群８を有し、前記容器本体の開口嵌合部に密着する前記蓋の外合部には、第１の永久磁石群と相対する如く埋め込まれた少なくとも１個以上の第２の永久磁石群９を有し、前記全ての永久磁石のＳ極とＮ極の向きは同じ向きであることを特徴とする収納容器と蓋である。【選択図】図３
2010100325.tif 000002
【特許請求の範囲】
【請求項１】
容器本体と、同容本体の開口部を遮蔽する蓋からなる収納容器において、前記容器本体の開口嵌合部に埋め込まれた少なくとも１個以上の第１の永久磁石群を有し、前記容器本体の開口嵌合部に密着する前記蓋の外合部には、第１の永久磁石群と相対する如く埋め込まれた少なくとも１個以上の第２の永久磁石群を有し、前記全ての永久磁石のＳ極とＮ極の向きは同じ向きであることを特徴とする収納容器と蓋。
【発明の詳細な説明】
【技術分野】
【０００１】
容器と、その容器の蓋に関する。  
【背景技術】
【０００２】
現在、容器と、その容器の蓋は、ネジ式のものやコルク栓、フック式などがある、ネジ式のものは、容器とその容器の蓋を、適正に噛合わせて時計回りに回転させると蓋は閉まり、逆時計回りに回転させると蓋は開く、またコルク栓などはかなりの力で押し込んで閉栓しかなりの力で引き上げて開栓しなければならない、フック式のものは正確に容器と蓋を噛み合わせてフックしなければならない、そのために老人や力の弱い人、又は手に障害のある人にとっては大変困難な作業であった。                              
【０００３】
図１(ａ) は、一般的な容器２と蓋１を、図１(ｂ)は、一般的な瓶４とコルク栓３
の外観形状を示す側面図である。
【特許文献１】実用新案登録公報第３０４０２０９号
【発明の開示】
【発明が解決しようとする課題】
【０００４】
本発明が解決しようとする課題は、容器とその容器の蓋であって、前記容器に前記容器の蓋を乗せるだけで閉栓し、前記容器の蓋は時計回りでも逆時計回りでも、またどの方向にでも僅か移動させるだけで開栓出来る容器とその容器の蓋を提供することにある。  
【課題を解決するための手段】
【０００５】
本発明は、容器本体と、同容本体の開口部を遮蔽する蓋からなる収納容器において、前記容器本体の開口嵌合部に埋め込まれた少なくとも１個以上の第１の永久磁石群を有し、前記容器本体の開口嵌合部に密着する前記蓋の外合部には、第１の永久磁石群と相対する如く埋め込まれた少なくとも１個以上の第２の永久磁石群を有し、前記全ての永久磁石のＳ極とＮ極の向きは同じ向きであることを特徴とする収納容器と蓋である。
【発明の効果】
【０００６】
本発明によれば、前記容器に前記容器の蓋を、どんな角度でも中心をずらしても載せるだけで、前記容器に埋め込まれた第１の永久磁石群と前記容器の蓋に埋め込まれた第２の永久磁石群が、お互いに引き合うため密着し閉栓することが可能となった。また、容器の蓋を時計回りでも逆時計回りでも、またどの方向にでも僅か移動させるだけで、前記第１の永久磁石群と第２の永久磁石群が、お互いに反発し合い開栓するので、老人や力の弱い人や手に障害のある人でも、簡単に容器の蓋の脱着ができた。
【発明を実施するための最良の形態】
【０００７】
以下、図２から図５に示す実施例に基つき、本発明の実施の形態を説明する。
【実施例】
【０００８】
図２(ａ) は、本発明に係る、容器開口部に密着させる、形状が円形の容器の蓋６に、第２の永久磁石群９が埋め込まれた実施例を示す平面図で、図２(ｂ) は、容器５と容器の蓋６の嵌め合い状況を示す外観形状を示す側面図である。
なお、本実施例では、容器開口部の形状が円形の容器５であるが、必要により、容器開口部の形状は、正多角形に限らず、楕円形や矩形にも適用することが出来る。なお、容器５に埋め込む第１の永久磁石群８と、蓋６に埋め込まれた第２の永久磁石群９が、合同な正多角形の頂点になるように埋め込まれている場合、正多角形の角数を増し永久磁石群の配列個数を増やすほど高いシール性がえられた。また、容器５に埋め込まれた第１の永久磁石群８と、蓋６に埋め込まれた第２の永久磁石群９が、相似な正多角形の頂点になるように埋め込まれ、かつ相対する永久磁石８，９の極性が変わらない範囲の場合、第１と第２の永久磁石群８，９が合同に近いほど高いシール性がえられた。
更に、容器開口部の形状が、円形もしくは正多角形で無い容器の場合、容器に埋め込まれた第１の永久磁石群と、蓋に埋め込まれた第２の永久磁石群は相対する位置に配置される。その場合配置される永久磁石の個数が増すほど高いシール性がえられる。また、容器に埋め込まれた第１と第２の永久磁石群が相似な形態であり、かつ相対する永久磁石の極性が変わらない範囲の場合、合同に近い形態なほど高いシール性がえられる。また、容器に埋め込まれる第１の永久磁石と、蓋に埋め込まれる第２の永久磁石の永久磁石の個数は容器の開口部と蓋との接合部の形状によってはそれぞれ１個でも可能である。
【０００９】
図３（ａ）は、容器５とその容器の蓋６の図２のＡ−Ａ縦断面図である。
図３（ｂ）は、図３（ａ）のＣ部の拡大図で、本実施例でも容器５と、容器の蓋６は、パッキン７と、容器５の開口嵌合部に埋め込んだ第１の永久磁石群８と、蓋６の嵌合部に埋め込んだ第２の永久磁石群９を形成し、第１の永久磁石群８と第２の永久磁石群９は合同な正６角形の頂点に埋め込み、かつ全ての永久磁石８，９のＳ極とＮ極の向きはすべて同じ向きとした。
【００１０】
図４（ａ）は、容器の蓋６に第１の永久磁石８を埋め込んだ状態の平面図であり、図４（ｂ）は容器５の口に埋め込まれた第１の永久磁石８と、容器の蓋６に埋め込まれた第２の永久磁石９のＳ極とＮ極は引き合う状態を示す概略側面図で、容器５に蓋６を、どんな角度でもまた中心をずらして乗せても、容器５と蓋６は定位置で重なり、そして密着した。図４（ｃ）は、図４（ｂ）のＤ部の拡大図である。
図５（ａ）は、容器の蓋６を時計回りに僅か移動させた状態の、第１の永久磁石８と、２の永久磁石９の配列状態の概略平面図で、図５（ｂ）は容器５の口に埋め込まれた第１の永久磁石８と、容器の蓋６に埋め込まれた第２の永久磁石９のＳ極とＮ極が互いに反発する状態を示す概略側面図である。図５（ｃ）は、図５（ｂ）のＥ部の拡大図で、本実施例は、容器５と容器の蓋６を時計回りに僅か移動させた。その時、容器５の口に埋め込まれた永久磁石８、容器の蓋６に埋め込まれた永久磁石９は反発し合う位置に来るために、簡単に開栓することができた。
【産業上の利用可能性】
【００１１】
本発明は、ほとんどの容器と容器の蓋に利用可能であり、特に老人や力の弱い人、又は手に障害のある人には必要不可欠な発明となりうる。本発明は、容器と容器の蓋に限らず、磁性体をドア等に取付て、開閉・着脱手段としても適用できる。
【図面の簡単な説明】
【００１２】
【図１】一般的な容器と蓋及び瓶とコルク栓の外側面図
【図２】本発明に係る実施例を示す平面図と、外観形状を示す側面図
【図３】図２のＡ−Ａ断面図と、図３（ａ）のＣ部断面拡大図
【図４】本発明に係る実施例を示す平面図、側面図、図４（ｂ）のＤ部拡大図
【図５】容器と容器の蓋を時計回りに僅か移動させた状態の平面図、側面図、              図５（ｂ）のＥ部拡大図である。
【符号の説明】
【００１３】
１    一般的な容器の蓋  
２    一般的な容器
３    一般的なコルク栓
４    一般的な瓶      
５    容器    
６    容器の蓋  
７    パッキン
８    容器に埋め込まれた第１の永久磁石群
９    蓋に埋め込まれた第２の永久磁石群
【図１】
2010100325.tif 000003
【図２】
2010100325.tif 000004
【図３】
2010100325.tif 000005
【図４】
2010100325.tif 000006
【図５】
2010100325.tif 000007